(57)【要約】【課題】  インターレース表示方式の映像信号からプログレッシブ表示方式の映像信号に変換するプログレッシブ変換の際の変換状態を評価する。【解決手段】  奇数または偶数フィールドいずれかで１本の走査線、または、奇数・偶数フィールドで表示時に隣接する各１本の走査線からなる水平方向の線を表示するインターレース表示方式の映像信号を生成し、前記映像信号を評価対象となるプログレッシブ変換手段によりプログレッシブ表示方式の映像信号にプログレッシブ変換し、該プログレッシブ変換された映像信号を、プログレッシブ表示方式で表示可能な表示手段により表示し、前記表示手段で表示されたプログレッシブ表示方式の映像信号における前記水平方向の線の表示状態を検知することにより評価を行う。【選択図】  図２
2006074090.tif 000002
【特許請求の範囲】
【請求項１】
インターレース表示方式の映像信号を、プログレッシブ表示方式の映像信号に変換するプログレッシブ変換の際の変換状態を評価するプログレッシブ変換評価方法であって、
奇数または偶数フィールドいずれかで１本の走査線、または、奇数・偶数フィールドで表示時に隣接する各１本の走査線からなる水平方向の線を表示するインターレース表示方式の映像信号を生成し、
前記映像信号を評価対象となるプログレッシブ変換手段によりプログレッシブ表示方式の映像信号にプログレッシブ変換し、
該プログレッシブ変換された映像信号を、プログレッシブ表示方式で表示可能な表示手段により表示し、
前記表示手段で表示されたプログレッシブ表示方式の映像信号における前記水平方向の線の表示状態を検知することによりプログレッシブ変換についての評価を行う、
ことを特徴とするプログレッシブ変換評価方法。
【請求項２】
前記インターレース表示方式の映像信号は、白地に対して黒線を表示する、
ことを特徴とする請求項１記載のプログレッシブ変換評価方法。
【請求項３】
前記インターレース表示方式の映像信号は、白地に対して灰色線を表示する、
ことを特徴とする請求項１記載のプログレッシブ変換評価方法。
【請求項４】
前記インターレース表示方式の映像信号は、前記水平方向の線を、画面上の異なる位置に複数表示する、
ことを特徴とする請求項１乃至請求項３のいずれかに記載のプログレッシブ変換評価方法。
【請求項５】
前記表示手段で表示されたプログレッシブ表示方式の映像信号における前記水平方向の線の表示状態として、輝度変化の有無を検知することによりプログレッシブ変換についての評価を行う、
ことを特徴とする請求項１乃至請求項４のいずれかに記載のプログレッシブ変換評価方法。
【請求項６】
前記表示手段で表示されたプログレッシブ表示方式の映像信号における前記水平方向の線の表示に含まれる輝度変化成分量を検知することによりプログレッシブ変換についての評価を行う、
ことを特徴とする請求項１乃至請求項４のいずれかに記載のプログレッシブ変換評価方法。
【発明の詳細な説明】
【技術分野】
【０００１】
本発明はプログレッシブ変換評価方法に関し、特に、インターレース表示方式の映像信号からプログレッシブ表示方式の映像信号に変換するプログレッシブ変換の際の変換状態を評価するプログレッシブ変換評価方法に関する。
【背景技術】
【０００２】
近年、飛び越し走査方式であるインターレース表示方式のみならず、順次走査方式であるプログレッシブ表示方式で再生や表示が可能な装置が各種販売されるようになってきている。
【０００３】
プログレッシブ表示方式およびインターレース表示方式で再生可能な記録媒体再生装置として、ＣＤ−Ｖプレーヤ、ＤＶＤプレーヤ（ＤＶＤレコーダ）、Ｄ−ＶＨＳビデオデッキなど各種の再生装置が存在している。
【０００４】
また、プログレッシブ表示方式およびインターレース表示方式で表示可能な表示装置として、液晶表示部、プラズマ表示部、ＣＲＴ表示部などを備えた各種のテレビ受像器やディスプレイが存在している。
【０００５】
一方、放送あるいは各種ディスクや各種テープ媒体では、従来からのインターレース表示方式の映像信号が多く用いられている。
このため、プログレッシブ表示方式に対応した再生装置や表示装置の内部に、インターレース表示方式の映像信号からプログレッシブ表示方式の映像信号に変換するプログレッシブ変換機能を備えたものが存在している。
【０００６】
なお、従来のインターレース表示方式の表示装置については、所定のグレイスケール、モノスコープ、カラーバーなどを表示して、表示装置の性能を調べることが、例えば以下の特許文献１に記載されている。なお、プログレッシブ表示方式の表示装置についても同様のことが可能である。
【特許文献１】特開平６−２２５３４５（第１頁、図２）
【発明の開示】
【発明が解決しようとする課題】
【０００７】
ところが、インターレース表示方式の映像信号からプログレッシブ表示方式の映像信号に変換するプログレッシブ変換機能に関しては、有効な検査手法が存在していない。
本件出願の発明者が実験を行ったところ、所定の状態のインターレース表示方式の映像信号をプログレッシブ表示方式に変換した場合、表示の一部に輝度変化（点滅やちらつき）が発生したりする不具合が存在していることが新たに発見された。
【０００８】
しかし、以上のようなプログレッシブ変換に際しての不具合を検出したり、評価したりするために有効な手法が未だ確立されていないことが大きな障害になっているため、不具合の存在すら知られてはいなかった。
【０００９】
本発明は、インターレース表示方式の映像信号からプログレッシブ表示方式の映像信号に変換するプログレッシブ変換の際の変換状態を評価することが可能なプログレッシブ変換評価方法を実現することを目的とする。
【課題を解決するための手段】
【００１０】
上述した不具合を解決する手段としての本発明は、以下に述べるようなものである。
（１）請求項１記載の発明は、インターレース表示方式の映像信号を、プログレッシブ表示方式の映像信号に変換するプログレッシブ変換の際の変換状態を評価するプログレッシブ変換評価方法であって、奇数または偶数フィールドいずれかで１本の走査線、または、奇数・偶数フィールドで表示時に隣接する各１本の走査線からなる水平方向の線を表示するインターレース表示方式の映像信号を生成し、前記映像信号を評価対象となるプログレッシブ変換手段によりプログレッシブ表示方式の映像信号にプログレッシブ変換し、該プログレッシブ変換された映像信号を、プログレッシブ表示方式で表示可能な表示手段により表示し、前記表示手段で表示されたプログレッシブ表示方式の映像信号における前記水平方向の線の表示状態を検知することによりプログレッシブ変換についての評価を行う、ことを特徴とするプログレッシブ変換評価方法である。
【００１１】
この発明では、評価対象となるプログレッシブ変換手段によりインターレース表示方式の所定の映像信号をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００１２】
（２）請求項２記載の発明は、請求項１において、前記インターレース表示方式の映像信号は、白地に対して黒線を表示する、ことを特徴とする。
この発明では、評価対象となるプログレッシブ変換手段によりインターレース表示方式の所定の映像信号（白地に黒線）をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００１３】
（３）請求項３記載の発明は、請求項１において、前記インターレース表示方式の映像信号は、白地に対して灰色線を表示する、ことを特徴とする。
この発明では、評価対象となるプログレッシブ変換手段によりインターレース表示方式の所定の映像信号（白地に灰色線）をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００１４】
（４）請求項４記載の発明は、請求項１乃至請求項３のいずれかにおいて、前記インターレース表示方式の映像信号は、前記水平方向の線を、画面上の異なる位置に複数表示する、ことを特徴とする。
【００１５】
この発明では、評価対象となるプログレッシブ変換手段によりインターレース表示方式の所定の映像信号（画面上の異なる位置の複数の水平方向線）をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００１６】
（５）請求項５記載の発明は、請求項１乃至請求項４のいずれかにおいて、前記表示手段で表示されたプログレッシブ表示方式の映像信号における前記水平方向の線の表示状態として、輝度変化の有無を検知することによりプログレッシブ変換についての評価を行う、ことを特徴とする。
【００１７】
この発明では、評価対象となるプログレッシブ変換手段によりインターレース表示方式の所定の映像信号をプログレッシブ変換し、該プログレッシブ変換された映像信号を、プログレッシブ表示方式で表示可能な表示手段により表示し、この水平方向線の表示状態（輝度変化の有無）を検知することによりプログレッシブ変換についての評価を行う。
【００１８】
（６）請求項６記載の発明は、請求項１乃至請求項４のいずれかにおいて、前記表示手段で表示されたプログレッシブ表示方式の映像信号における前記水平方向の線の表示に含まれる輝度変化成分量を検知することによりプログレッシブ変換についての評価を行う、ことを特徴とする。
【００１９】
この発明では、評価対象となるプログレッシブ変換手段によりインターレース表示方式の所定の映像信号をプログレッシブ変換し、該プログレッシブ変換された映像信号を、プログレッシブ表示方式で表示可能な表示手段により表示し、この水平方向線の表示状態（水平方向線に含まれる輝度変化成分量）を検知することによりプログレッシブ変換についての評価を行う。
【発明の効果】
【００２０】
本発明によると以下のような効果が得られる。
（１）請求項１記載の発明では、評価対象となるプログレッシブ変換手段によりインターレース表示方式の所定の映像信号をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００２１】
このように、奇数または偶数フィールドいずれかで１本の走査線、または、奇数・偶数フィールドで表示時に隣接する各１本の走査線からなる水平方向の線を表示するインターレース表示方式の映像信号をプログレッシブ変換してからプログレッシブ表示することで、プログレッシブ変換の際の変換状態を評価することが可能になる。
【００２２】
（２）請求項２記載の発明では、評価対象となるプログレッシブ変換手段によりインターレース表示方式の所定の映像信号（白地に黒線）をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００２３】
このように、奇数または偶数フィールドいずれかで白地に黒色の１本の走査線、または、奇数・偶数フィールドで表示時に白地に黒色の隣接する各１本の走査線からなる水平方向の線を表示するインターレース表示方式の映像信号をプログレッシブ変換してからプログレッシブ表示することで、黒色水平方向線の表示状態により、プログレッシブ変換の際の変換状態を評価することが可能になる。
【００２４】
（３）請求項３記載の発明では、評価対象となるプログレッシブ変換手段によりインターレース表示方式の所定の映像信号（白地に灰色線）をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００２５】
このように、奇数または偶数フィールドいずれかで白地に灰色の１本の走査線、または、奇数・偶数フィールドで表示時に白地に灰色の隣接する各１本の走査線からなる水平方向の線を表示するインターレース表示方式の映像信号をプログレッシブ変換してからプログレッシブ表示することで、灰色水平方向線の表示状態により、プログレッシブ変換の際の変換状態を評価することが可能になる。
【００２６】
（４）請求項４記載の発明では、評価対象となるプログレッシブ変換手段によりインターレース表示方式の所定の映像信号（画面上の異なる位置の複数の水平方向線）をプログレッシブ変換し、該プログレッシブ変換された映像信号を、プログレッシブ表示方式で表示可能な表示手段により表示し、この水平方向線の表示状態を検知することによりプログレッシブ変換についての評価を行う。
【００２７】
このように、画面上の異なる複数の位置に、奇数または偶数フィールドいずれかで１本の走査線、または、奇数・偶数フィールドで表示時に隣接する各１本の走査線からなる水平方向の線を表示するインターレース表示方式の映像信号をプログレッシブ変換してからプログレッシブ表示することで、画面上の異なる位置の複数の水平方向線のいずれかの表示状態の違いにより、プログレッシブ変換の際の変換状態を評価することが可能になる。
【００２８】
（５）請求項５記載の発明では、評価対象となるプログレッシブ変換手段によりインターレース表示方式の所定の映像信号をプログレッシブ変換し、該プログレッシブ変換された映像信号を、プログレッシブ表示方式で表示可能な表示手段により表示し、この水平方向線の表示状態（輝度変化の有無）を検知することによりプログレッシブ変換についての評価を行う。
【００２９】
このように、奇数または偶数フィールドいずれかで１本の走査線、または、奇数・偶数フィールドで表示時に隣接する各１本の走査線からなる水平方向の線を表示するインターレース表示方式の映像信号をプログレッシブ変換してからプログレッシブ表示した場合の、水平方向線の輝度変化の有無により、プログレッシブ変換の際の変換状態を評価することが可能になる。
【００３０】
（６）請求項６記載の発明では、評価対象となるプログレッシブ変換手段によりインターレース表示方式の所定の映像信号をプログレッシブ変換し、該プログレッシブ変換された映像信号を、プログレッシブ表示方式で表示可能な表示手段により表示し、この水平方向線の表示状態（水平方向線に含まれる輝度変化成分量）を検知することによりプログレッシブ変換についての評価を行う。
【００３１】
このように、奇数または偶数フィールドいずれかで１本の走査線、または、奇数・偶数フィールドで表示時に隣接する各１本の走査線からなる水平方向の線を表示するインターレース表示方式の映像信号をプログレッシブ変換してからプログレッシブ表示した場合の、水平方向線の輝度変化成分量により、プログレッシブ変換の際の変換状態を数値化して評価することが可能になる。
【発明を実施するための最良の形態】
【００３２】
以下に、図面を参照して本発明の実施形態を詳細に説明する。図１は本実施形態のプログレッシブ変換評価方法を実現する際の、信号発生、プログレッシブ変換、プログレッシブ表示、プログレッシブ変換の評価を行うプログレッシブ変換評価システムの構成具体例を示す説明図である。すなわち、このプログレッシブ変換評価システムは、本実施形態のプログレッシブ変換評価方法を実行するシステムを構成している。
【００３３】
図１において、１００は信号発生装置であり、この信号発生装置１００は、奇数または偶数フィールドいずれかで１本の走査線、または、奇数・偶数フィールドで表示時に隣接する各１本の走査線からなる水平方向の線を表示するインターレース表示方式の映像信号を生成するものである。
【００３４】
ここで、インターレース表示方式の映像信号は、一般的に広く知られているＮＴＳＣ方式の映像信号では、５２５ｉが該当する。また、５２５ｉ以外に、より高精細な１１２５ｉなども該当する。
【００３５】
２００はインターレース表示方式の映像信号をプログレッシブ表示方式の映像信号にプログレッシブ変換してプログレッシブ表示することが可能な表示装置であり、識別部２１０と、プログレッシブ変換部２２０と、表示部２３０とを有している。
【００３６】
ここで、インターレース表示方式の映像信号が５２５ｉであればプログレッシブ表示方式の映像信号は５２５ｐが該当する。また、インターレース表示方式の映像信号が１１２５ｉであればプログレッシブ表示方式の映像信号は１１２５ｐが該当する。
【００３７】
２１０は表示装置２００に内蔵された識別部であり、インターレース表示方式の映像信号かプログレッシブ表示方式の映像信号かを識別し、プログレッシブ表示方式の映像信号は通過させ、インターレース表示方式の映像信号は後述するプログレッシブ変換部に送る。２２０は表示装置２００に内蔵されたプログレッシブ変換部であり、インターレース表示方式の映像信号をプログレッシブ表示方式の映像信号にプログレッシブ変換する。
２３０は表示装置２００に内蔵された液晶表示部、プラズマ表示部、ＣＲＴ表示部などを備えた各種方式の表示部であり、プログレッシブ表示することが可能に構成されている。
【００３８】
３００は評価装置であり、表示部２２０で表示されたプログレッシブ表示方式の映像信号における所定の画像の表示状態を検知することによりプログレッシブ変換についての評価を行うものである。
【００３９】
３１０は評価装置３００に内蔵されて表示部２２０の表示画面を撮像する撮像部、３２０は撮像により得られた動画の画像データを記憶する記憶部、３３０は記憶された画像データの中から所定の水平方向線を抽出する抽出部、３４０は抽出された水平方向線を比較する比較部、３５０は比較結果によりプログレッシブ変換について評価を行う評価部である。なお、撮像部３１０は表示部２３０と同期状態にあることが望ましい。
【００４０】
図２は本実施形態のプログレッシブ変換評価方法の処理手順を示すフローチャートである。以下、このフローチャートを参照しつつ、実施形態の処理手順（プログレッシブ変換評価方法の実行手順）を説明する。
【００４１】
まず、信号発生装置１００にて所定のインターレース表示方式の所定の映像信号を生成する（図２Ｓ１）。このインターレース表示方式の所定の映像信号とは、奇数または偶数フィールドいずれかで１本の走査線、または、奇数・偶数フィールドで表示時に隣接する各１本の走査線からなる水平方向の黒線（水平方向黒線）を表示する映像信号である。また、このインターレース表示方式の所定の映像信号とは、奇数または偶数フィールドいずれかで１本の走査線、または、奇数・偶数フィールドで表示時に隣接する各１本の走査線からなる水平方向の灰色線（水平方向灰色線）を表示する映像信号であってもよい。
【００４２】
また、このインターレース表示方式の映像信号は、図３に示すように、以上の水平方向線を、画面上の異なる位置に複数表示することが望ましい。
なお、後述するように、プログレッシブ変換後に輝度変化（点滅あるいはちらつき）状態が現れない表示として、たとえば、プログレッシブ変換後に隣接する３本の走査線（奇数フィールド２本／偶数フィールド１本、あるいは、奇数フィールド１本／偶数フィールド２本）を、比較のために上述した水平方向線近傍に表示することも望ましい。
【００４３】
この図３の画面例では、プログレッシブ変換後に１本の水平方向黒線、プログレッシブ変換後に２本の水平方向黒線、プログレッシブ変換後３本の水平方向黒線からなる表示群を、縦９群、横６群表示しているものを例示している。
【００４４】
なお、この水平方向黒線の水平方向の長さは、表示部２３０において表示されたときに数ｃｍ程度になるように構成すると、視認性が向上するため、評価を視認により行う上で望ましい。したがって、信号発生装置１００において、表示部２３０の表示画面の大きさに合わせて表示を変えるために、複数の画面の画像データを生成できるように、予め複数の画像データを有していることが望ましい。
【００４５】
そして、以上のインターレース表示方式の所定の映像信号を、プログレッシブ変換部２２０にてプログレッシブ表示方式の映像信号に変換する（図２Ｓ２）。さらに、この変換後のプログレッシブ表示方式の映像信号を、表示部２３０にてプログレッシブ表示する（図２Ｓ３）。
【００４６】
この表示部２３０の表示画面を撮像部３１０で撮像し（図２Ｓ４）、撮像結果である動画の画像データを記憶部３２０に記憶する（図２Ｓ５）。この画像データの記憶の後、あるいは記憶と並行して、抽出部３３０が既知の画像認識処理などを用いて、水平方向線を抽出する（図２Ｓ６）。
【００４７】
ここで、抽出部３３０は、輝度や色相の変化が生じない状態で安定して表示されている水平方向線と、輝度や色相のいずれかに変化が生じている状態で表示されている水平方向線とを分離して抽出する。
【００４８】
そして、比較部３４０は、抽出部３３０から分離して抽出された結果である安定した水平方向線の表示と、安定していない水平方向線の表示とについて、輝度や色相などの違いを比較する（図２Ｓ７）。
【００４９】
さらに、評価部３５０は、比較部３４０の比較結果を参照し、水平方向の線の表示状態として、輝度変化の有無を求め、評価結果を生成する（図２Ｓ８）。なお、評価部３５０は、比較部３４０の比較結果を参照し、水平方向の線の表示状態として、輝度変化が検出された場合に、さらに、輝度変化成分量を求め、評価結果を生成してもよい。
【００５０】
図４は、グレイスケール、モノスコープ、カラーバーなど従来から存在するチャート類と、本実施形態の水平方向線とを、プログレッシブ変換手段を内蔵する各種表示装置で表示して、プログレッシブ変換の変換状態を評価した結果を示す説明図である。
【００５１】
今回は、グレイスケール、モノスコープ、カラーバー、水平方向線（プログレッシブ表示時１本）、水平方向線（プログレッシブ表示時２本）、水平方向線（プログレッシブ表示時３本）、水平方向線（プログレッシブ表示時４本）、水平方向線（プログレッシブ表示時５本）、水平方向線（プログレッシブ表示時６本）、のインターレース方式の映像信号を、ＣＲＴディスプレイ、プラズマディスプレイ、プロジェクタなどプログレッシブ変換手段を内蔵する合計８機種で表示して、その表示に点滅あるいはちらつきといった輝度変化が含まれるか否かについて検知し、プログレッシブ変換の変換状態を評価した。
【００５２】
この図４から明らかなように、グレイスケール、モノスコープ、カラーバーなど従来から存在するチャート類をプログレッシブ変換して表示した場合、すべての表示装置において、チャート類の表示に乱れは一切発生しなかった。
【００５３】
また、奇数または偶数フィールドいずれかで１本の走査線をプログレッシブ変換した水平方向線を表示した場合、サンプル（１）とサンプル（４）で、複数の水平方向線のうちの一部であるが、端部に点滅あるいはちらつきといった輝度変化の発生が確認された。
【００５４】
また、奇数または偶数フィールドいずれかで１本の走査線をプログレッシブ変換した水平方向線を表示した場合、サンプル（２）とサンプル（５）とサンプル（７）、サンプル（８）で、複数の水平方向線のうちの一部であるが、その水平方向線全体に点滅あるいはちらつきといった輝度変化の発生が確認された。
【００５５】
また、奇数または偶数フィールドいずれかで１本の走査線をプログレッシブ変換した水平方向線を表示した場合、サンプル（３）、サンプル（６）では、水平方向線に乱れは発生しなかった。
【００５６】
また、奇数・偶数フィールドで表示時に隣接する各１本の走査線からなる水平方向の線、すなわち、プログレッシブ変換後には隣接する２本の走査線を表示した場合、サンプル（１）とサンプル（４）で、複数の水平方向線のうちの一部であるが、端部に点滅あるいはちらつきといった輝度変化の発生が確認された。
【００５７】
また、奇数・偶数フィールドで表示時に隣接する各１本の走査線からなる水平方向の線、すなわち、プログレッシブ変換後には隣接する２本の走査線を表示した場合、サンプル（２）とサンプル（５）とサンプル（７）、サンプル（８）で、複数の水平方向線のうちの一部であるが、その水平方向線全体に点滅あるいはちらつきといった輝度変化の発生が確認された。
【００５８】
また、奇数・偶数フィールドで表示時に隣接する各１本の走査線からなる水平方向の線、すなわち、プログレッシブ変換後には隣接する２本の走査線を表示した場合、サンプル（３）、サンプル（６）では、水平方向線に乱れは発生しなかった。
【００５９】
また、プログレッシブ変換後に隣接する３本の走査線（奇数フィールド２本／偶数フィールド１本、あるいは、奇数フィールド１本／偶数フィールド２本）を表示した場合、サンプル（１）〜サンプル（８）すべてで、水平方向線に乱れは発生しなかった。
【００６０】
また、プログレッシブ変換後に隣接する４本の走査線（奇数フィールド２本／偶数フィールド２本）を表示した場合、サンプル（１）〜サンプル（８）すべてで、水平方向線に乱れは発生しなかった。
【００６１】
また、プログレッシブ変換後に隣接する５本の走査線（奇数フィールド３本／偶数フィールド２本、あるいは、奇数フィールド２本／偶数フィールド３本）を表示した場合、サンプル（１）〜サンプル（８）すべてで、水平方向線に乱れは発生しなかった。
【００６２】
また、プログレッシブ変換後に隣接する６本の走査線（奇数フィールド３本／偶数フィールド３本）を表示した場合、サンプル（１）〜サンプル（８）すべてで、水平方向線に乱れは発生しなかった。
【００６３】
また、以上の実験を白地に黒線、白地に灰色線で行ったが、いずれも同じ結果を得ることができた。
なお、以上の水平方向線の点滅あるいはちらつきといった輝度変化の発生は、プログレッシブ変換の際のアルゴリズムの問題、変換エラーの問題、プログレッシブ変換回路に使用されているデバイスの性能の問題など各種の要因が考えられる。
【００６４】
以上の実験結果から、奇数または偶数フィールドいずれかで１本の走査線、または、奇数・偶数フィールドで表示時に隣接する各１本の走査線からなる水平方向の線を表示するインターレース表示方式の映像信号を生成し、この映像信号を評価対象となるプログレッシブ変換手段によりプログレッシブ表示方式の映像信号にプログレッシブ変換し、該プログレッシブ変換された映像信号を、プログレッシブ表示方式で表示可能な表示手段により表示し、前記表示手段で表示されたプログレッシブ表示方式の映像信号における前記水平方向の線の表示状態を検知することによりプログレッシブ変換についての評価を行う、ことで、プログレッシブ変換の際の変換状態を有効に評価することが可能であることが判明した。
【００６５】
また、以上の実験によれば、奇数または偶数フィールドいずれかで１本の走査線、または、奇数・偶数フィールドで表示時に隣接する各１本の走査線からなる水平方向の線をプログレッシブ変換して表示した場合に点滅あるいはちらつきといった輝度変化など乱れが生じたが、点滅やちらつきといった輝度変化以外の各種の表示乱れとしてプログレッシブ変換の問題が検出されることもあり得る。
【００６６】
したがって、奇数または偶数フィールドいずれかで１本の走査線、または、奇数・偶数フィールドで表示時に隣接する各１本の走査線からなる水平方向の線をプログレッシブ変換して表示した場合に点滅やちらつきといった輝度変化などの何らかの乱れが生じる場合には、プログレッシブ変換に問題が存在していることが分かり、何の乱れも生じなければプログレッシブ変換には問題が存在していないと評価することが可能になる。
【００６７】
また、以上の説明では、ＮＴＳＣビデオ信号だけでなく、ＰＡＬやＳＥＣＡＭ等各種の方式の映像信号に対して本実施形態を適用して良好な効果を得ることが可能である。
なお、以上の実施形態では表示装置２００にプログレッシブ変換部２２０が内蔵されたものを具体例にして説明してきた。これ以外に、ディジタルディスクプレーヤやディジタルビデオデッキなどの再生装置に内蔵されたプログレッシブ変換部の変換状態を評価する場合には、上述した所定のインターレース方式の映像が記録されたディスクやテープなどの記録媒体を再生することで、同様の評価を行うことが可能である。
【００６８】
また、以上の実施形態では評価装置３００を用いて評価を行ったが、インターレース方式の所定の映像信号をプログレッシブ変換して表示した画像を目視により評価することも可能である。その場合、各種サイズの表示部で水平方向線が５mm〜１０mm程度になるようにして表示を行うことで、点滅あるいはちらつきといった輝度変化を確認しやすくなる。
【００６９】
なお、５２５ｉを５２５ｐに、また、１１２５ｉを１１２５ｐにプログレッシブ変換する以外にも、各種の規格の映像信号をプログレッシブ変換する際に、以上の実施形態で説明した手法を適用して良好な結果を得ることが可能である。
【図面の簡単な説明】
【００７０】
【図１】本発明の実施形態であるプログレッシブ変換評価方法を実行するシステムの構成を示すブロック図である。
【図２】本発明の実施形態であるプログレッシブ変換評価方法を実行する手順を示すフローチャートである。
【図３】本発明の実施形態であるプログレッシブ変換評価方法に使用される映像信号を表示した状態の一例を示す説明図である。
【図４】本発明の実施形態であるプログレッシブ変換評価方法により実験を行った実験結果を示す説明図である。
【符号の説明】
【００７１】
１００  信号発生装置
２００  表示装置
２１０  識別部
２２０  プログレッシブ変換部
２３０  表示部
３００  プログレッシブ変換評価装置
３１０  撮像部
３２０  記憶部
３３０  抽出部
３４０  比較部
３５０  評価部
【図１】
2006074090.tif 000003
【図２】
2006074090.tif 000004
【図３】
2006074090.tif 000005
【図４】
2006074090.tif 000006